(57)【要約】   【課題】宅配ボックスにおいて簡単な構造で雨水の影響を抑えて伝票を所定の位置まで確実に挿入することができる伝票用のスタンプ装置を提供することを目的とする。  【解決手段】  伝票受部２５は矩形板材の一対の上部材２６と下部材２７で構成され、伝票Ｗは矢印Ｗ１に示すように伝票挿入口１７に挿入される。上部材２６と下部材２７の先端部２８は底部材２８ａで連結して塞がれる。上部材２６の中央部にスタンプ２３を挿入するための孔部２６ａが設けられる。下部材２７の上面に複数の同じ高さの突起Ｑ１を両側端部２７ｄと平行に備え、伝票受部２５の矩形板材の両側端部２７ｄに沿って突起Ｑ１よりも高い一対の突状ガイドＱ２を備える。下部材２７の上面の中央部にはスタンプ受部Ｍが設けられる。伝票受部２５は伝票挿入口１７に向かって水平線に対して下り勾配に連結されるが、スタンプ受部Ｍは矩形の水平面領域である。【選択図】  図３
2008289743.tif 000002
【特許請求の範囲】
【請求項１】
荷物を受入れる荷受室と扉を有する宅配ボックスの荷受け確認用のスタンプ装置であって、
前記スタンプ装置は、スタンプ昇降具に保持されて上下動自在のスタンプと伝票受部とから成り、
前記伝票受部は前記扉に形成される伝票挿入用の矩形開口部の下辺に連結される矩形板材で前記荷受室の内部に設けられ、この矩形板材の上面に複数の同じ高さの突起を前記矩形板材の両側端部と平行に備え、前記矩形板材の上面の中央部にスタンプ受部としての水平面領域を設けることを特徴とするスタンプ装置。
【請求項２】
請求項１に記載のスタンプ装置であって、前記伝票受部は前記矩形開口部に向かって下り勾配に連結されることを特徴とするスタンプ装置。
【請求項３】
請求項１又は請求項２に記載のスタンプ装置であって、前記突起は断続的に形成されることを特徴とするスタンプ装置。
【請求項４】
請求項１乃至請求項３のいずれか１項に記載のスタンプ装置であって、前記伝票受部の矩形板材の両側端部に沿って前記突起よりも高い一対の突状ガイドを備えることを特徴とするスタンプ装置。
【発明の詳細な説明】
【技術分野】
【０００１】
本発明は宅配物を荷受けする宅配ボックスに関し、詳しくは、一般家庭等で使用される無人の宅配ボックスにおける伝票用のスタンプ装置の技術に関するものである。
【背景技術】
【０００２】
従来、宅配小荷物を無人で受取り受領印をスタンプできる一般家庭用の宅配ボックスとして、例えば、特許文献１の内容が知られている。
【０００３】
図７に示すように、特許文献１の宅配ボックスのスタンプ装置は、伝票６がベース部２に沿って矢印Ｃに示すように伝票挿入部７から挿入される。伝票６はその両側部分を図示しないスペーサーによって誘導された状態で伝票挿入部７内を進み、マイクロスイッチ１０のスイッチ板１０ａに到達する。
【０００４】
さらに、スイッチ板１０ａは伝票６の先端部分に押しつけられた状態で矢印Ｄ方向に回転してスイッチ板１０ａがベース部２に対して略垂直になるまで回転する。略垂直になった時点でマイクロスイッチ１０がＯＮ状態となり、伝票６はマイクロスイッチ１０の図示しない側面部で保持される。
【０００５】
そして、スタンプ保持部４に保持されたスタンプ５が矢印Ｇに示すように下降して伝票６にスタンプ実施される。
【特許文献１】特開２００２−３４７７３号公報
【発明の開示】
【発明が解決しようとする課題】
【０００６】
ところが、外部に面している伝票挿入口１７から雨水が浸入すると、濡れた状態のベース部２の表面に伝票６が附着して挿入が困難となり、伝票６を所定のスタンプ位置まで挿入できないので、スタンプ位置不良となることがあった。
【０００７】
そこで、本発明はかかる従来技術の問題に鑑みなされたものであり、宅配ボックスにおいて簡単な構造で雨水の影響を抑えて伝票を所定の位置まで確実に挿入することができる伝票用のスタンプ装置を提供することを目的とする。
【課題を解決するための手段】
【０００８】
請求項１の発明は、荷物を受入れる荷受室と扉を有する宅配ボックスの荷受け確認用のスタンプ装置であって、前記スタンプ装置は、スタンプ昇降具に保持されて上下動自在のスタンプと伝票受部とから成り、前記伝票受部は前記扉に形成される伝票挿入用の矩形開口部の下辺に連結される矩形板材で前記荷受室の内部に設けられ、この矩形板材の上面に複数の同じ高さの突起を前記矩形板材の両側端部と平行に備え、前記矩形板材の上面の中央部にスタンプ受部としての水平面領域を設けることを特徴としている。
【０００９】
請求項２の発明は、請求項１に記載のスタンプ装置であって、前記伝票受部は前記矩形開口部に向かって下り勾配に連結されることを特徴としている。
【００１０】
請求項３の発明は、請求項１又は請求項２に記載のスタンプ装置であって、前記突起は断続的に形成されることを特徴としている。
【００１１】
請求項４の発明は、請求項１乃至請求項３のいずれか１項に記載のスタンプ装置であって、前記伝票受部の矩形板材の両側端部に沿って前記突起よりも高い一対の突状ガイドを備えることを特徴としている。
【発明の効果】
【００１２】
請求項１記載の発明によれば、前記伝票受部は前記扉に形成される伝票挿入用の矩形開口部の下辺に連結される矩形板材で、この矩形板材の上面に複数の同じ高さの突起を前記矩形板材の両側端部と平行に備えるので、雨水で前記伝票受部の上面が濡れた状態でも伝票が接触するのは前記伝票受部の上面全域ではなく複数の突起に接触する。
【００１３】
このため、伝票を挿入する際に、前記伝票受部が濡れた状態であっても実際に伝票が接触する面積が減少するので、伝票は前記伝票受部に附着することなく突起に支えられて容易に滑るので、伝票を所定の位置まで確実に挿入することができる。
【００１４】
また、前記矩形板材の上面の中央部にスタンプ受部としての水平面領域を設けるので、突起に邪魔されることなくスタンプ動作が実施できる。
【００１５】
請求項２記載の発明によれば、前記伝票受部は前記矩形開口部に向かって下り勾配に連結されるので、雨水は重力によって自然に排出されるので請求項１の効果と同様の効果が得られる。
【００１６】
請求項３記載の発明によれば、前記突起は断続的に形成されるので、伝票が接触する面積が更に減少するので、請求項１の効果と同様の効果が更に確実に得られる。
【００１７】
請求項４記載の発明によれば、前記伝票受部の矩形板材の両側端部に沿って前記突起よりも高い一対の突状ガイドを備えるので、この一対の突状ガイドによって伝票を確実にガイドして所定の位置まで容易に挿入できるとともに、請求項１の効果と同様の効果が確実に得られる。
【発明を実施するための最良の形態】
【００１８】
＜本発明の第一の実施形態＞
以下に、本発明の第一の実施形態を図１〜図５に基づいて説明する。
【００１９】
＜スタンプ装置の構成＞  
図1、図２、図３、図４、図５に示すように、本発明のスタンプ装置２０を備える宅配ボックス１１は荷物を受入れる荷受室１２と扉１３を有し、扉１３の外面側１３ａに扉開閉ボタン１４と開錠鍵挿入口１５と、荷受け確認のため伝票Ｗにスタンプするためのスタンプ始動ボタン１６と伝票挿入口１７とが設けられる。
【００２０】
扉１３の内面側１３ｂに、扉１３を施錠する施錠手段１８とスタンプ装置２０が設けられ、スタンプ装置２０は上下動自在のスタンプ昇降具２１とこのスタンプ昇降具２１に連結するスタンプホルダー２２とスタンプホルダー２２に保持されるスタンプ２３と、伝票挿入口１７に連結して固着される伝票受部２５とで構成される。
【００２１】
ここで、スタンプ昇降具２１と、スタンプ昇降具２１を一度だけ下降させる詳細説明しないスタンプ連動手段３０を、それぞれ上下にスライド自在に保持するための保持カバー３１が設けられ、保持カバー３１の上端部に受部３１ａを備える。
【００２２】
また、スタンプ始動ボタン１６に連動するスタンプシフトレバー３５と扉開閉ボタン１４に連動するプッシュレバー４０が設けられる。
【００２３】
伝票受部２５は矩形板材の一対の上部材２６と下部材２７で構成され、後端部に備える垂直取付部２６ｂ、２７ｂの取付孔２６ｃ、２７ｃを介して扉１３に形成される伝票挿入口１７の上辺１７ａと下辺１７ｂに沿うように扉１３の内面側にビス等の固着具によって固着して連結される。伝票Ｗは矢印Ｗ１に示すように伝票挿入口１７に挿入される。
【００２４】
上部材２６と下部材２７の先端部２８は底部材２８ａで連結して塞がれる。そして、上部材２６の中央部にスタンプ２３を挿入するための孔部２６ａが設けられる。          
下部材２７の上面に同じ高さの複数の突起Ｑ１を両側端部２７ｄと平行に備える。さらに、伝票受部２５の矩形板材の両側端部２７ｄに沿って突起Ｑ１よりも高い一対の突状ガイドＱ２を備える。
【００２５】
下部材２７の上面の中央部にはスタンプ受部Ｍが設けられ、スタンプ受部Ｍにおける突起Ｑ３は先端部２８側と垂直取付部２７ｂ側にそれぞれ分割して形成される。
【００２６】
なお、伝票受部２５は伝票挿入口１７に向かって水平線に対して角度θ＝２度の下り勾配に連結される。スタンプ受部Ｍは矩形の水平面領域と成るようにスタンプ受部Ｍの垂直取付部２７ｂ側である辺Ｍ１は先端部２８側である辺Ｍ２より下部材２７の上面に対して若干高く形成される。
【００２７】
伝票受部２５の使用材料は薄板鋼板や樹脂材等を用いて形成される。
【００２８】
＜スタンプ動作の説明＞
スタンプ昇降具２１は略帯状で上端部両側に係止部２１ａが設けられ、スタンプ昇降具２１を上方且つ荷受室側に付勢する第一の弾性体としての二組のバネ２４を備える。このため、スタンプ昇降具２１はスタンプを実施しない状態ではバネ２４によって上昇して係止部２１ａが保持カバー３１の受部３１ａに係止された状態を保っている。
【００２９】
スタンプ動作を開始する際には、スタンプ昇降具２１の係止部２１ａが詳細説明しない方法で受部３１ａから押出されて離脱した状態となるので、スタンプ昇降具２１はバネ２４の力に打ち勝って下降することができる。
【００３０】
スタンプホルダー２２は扉１３側に一対のブラケット２２ａを備えている。スタンプシフトレバー３５はその上端部３５ａを中心にしてスイングする構造で、上端部３５ａには扉１３側に向けて押込レバー３５ｂを備えている。
【００３１】
このため、スタンプ始動ボタン１６を押込んでスタンプシフトレバー３５の下端部３５ｃが押されると、上端部３５ａが矢印Ｇ１で示すように回転して押込レバー３５ｂが一方のブラケット２２ａを矢印Ｇ２で示すように押し下げることができる。そして、スタンプホルダー２２が下降してスタンプ２３が上部材２６の孔部２６ａに挿入されて伝票Ｔに受取り確認用のスタンプが実施される。
【００３２】
なお、スタンプ始動ボタン１６は、ボタンを押した後に自動復帰させるためのコイルスプリングＰを内蔵している。図１において、スタンプ始動ボタン１６は内蔵されたコイルスプリングＰの状態を示すために透視図で描かれており、このスタンプ始動ボタン１６を押込むとコイルスプリングＰが宿小してスタンプ動作が開始し、押込みを止めるとコイルスプリングＰが復帰してスタンプ動作が終了する。
【００３３】
同様に、扉１３の施錠開錠は、扉開閉ボタン１４に連動するプッシュレバー４０によって回転レバー４１を回転することで施錠手段１８のラッチ用バー４２が回転し、ラッチ用バー４２に連動するフック４３によって扉１３の施錠開錠が実施できる。
【００３４】
＜宅配ボックスの作用＞
伝票受部２５の下部材２７の上面に複数の同じ高さの突起Ｑ１を両側端部２７ｄと平行に備えるので、雨水で下部材２７の上面が濡れた状態でも伝票Ｗが接触するのは下部材２７の上面全域ではなく複数の突起であるため伝票Ｗが接触する面積が減少しているので、伝票Ｗは突起Ｑ１に支えられて所定の位置まで容易且つ確実に挿入することができる。
【００３５】
伝票受部２５は伝票挿入口１７に向かって下り勾配に連結されるので、雨水が重力によって自然排出されるので伝票Ｗの濡れる状況が激減するので伝票Ｗを容易に挿入できる。
【００３６】
また、下部材２７の上面の中央部にスタンプ受部Ｍとしての水平面領域を設けるので、突起Ｑ１の勾配に関係なく垂直に作動するスタンプ動作によってスタンプ動作が円滑に実施できる。
【００３７】
＜本発明の第二の実施形態＞
本発明の第二の実施形態のスタンプ装置の伝票受部２５ａの下部材２７ｆを図６を用いて説明するが、図４に示す下部材２７の構成と同様の構成部分については図面に同符号を付して重複した説明を省略し、図１、図２、図３、図５に示す伝票受部２５の構成とは同じであるのでその説明および図面を省略する。
【００３８】
図６に示すように、突起Ｑ１は断続部Ｒによって断続的に形成され、突起Ｑ１の全長を短くできるので、突起Ｑ１による抵抗がさらに減少するので伝票Ｗの挿入が更に容易且つ確実にできる。
【００３９】
以上、本発明の実施例を図面に基づいて説明したが、具体的な構成はこの実施例に限られるものではなく本発明の要旨を逸脱しない範囲の設計変更等があっても本発明に含まれる。
【００４０】
例えば、荷受け確認手段はスタンプ印２０ａの代わりに印鑑を使用してもよい。また、穿孔手段を用いる荷受け確認手段でも構わない。
【００４１】
スタンプ受部Ｍの水平面領域は矩形形状の代わりにスタンプ印２０ａの形状に合わせて円形状や他の形状でも構わない。
【００４２】
突起Ｑ１は図６に示すパターン以外に任意の断続的パターンを用いて形成することもできるが、伝票のスムーズな挿入のために各断続部Ｒはできるだけ位置をずらして形成することが好ましい。
【００４３】
伝票受部２５の両側近傍に伝票Ｗ用の位置決めガイド等が伝票受部２５と別途に設けられる場合には一対の突状ガイドＱ２は不要である。
【図面の簡単な説明】
【００４４】
【図１】本発明の第一の実施形態における、宅配ボックス１１の伝票受部２５の斜視図である。
【図２】本発明の第一の実施形態における、図１のＡ−Ａ透視斜視図である。
【図３】本発明の第一の実施形態における、スタンプ装置２０と伝票受部２５の状態を示す斜視図である。
【図４】本発明の第一の実施形態における、伝票受部２５の下部材２７の平面図である。
【図５】本発明の第一の実施形態における、図４のＢ−断面図である。
【図６】本発明の第二の実施形態における、伝票受部２５ａの下部材２７ｆの状態を示す平面図である。
【図７】従来例における、ベース部２に沿って伝票挿入部７に伝票６が挿入される状態を示す断面図である。
【符号の説明】
【００４５】
１７  伝票挿入口
２３  スタンプ
２５  伝票受部
２６  上部材
２６ａ  孔部
２７  下部材
２７ｄ  側端部
２８  先端部
２８ａ  底部材
Ｑ１  突起
Ｑ２  突状ガイド
Ｍ  スタンプ受部
Ｗ  伝票
【図１】
2008289743.tif 000003
【図２】
2008289743.tif 000004
【図３】
2008289743.tif 000005
【図４】
2008289743.tif 000006
【図５】
2008289743.tif 000007
【図６】
2008289743.tif 000008
【図７】
2008289743.tif 000009